(57)【特許請求の範囲】
【請求項１】
音声情報を記録する１つまたは複数の記録領域からなる音声データ領域と、前記音声データ領域と隣の音声データ領域との間に配置された１つまたは複数の記録領域からなる制御データ領域で構成される複数の記録単位が記録されると共に、前記複数の音声データ領域に対するリンク先データが記録済の記録済媒体を再生したときに、前記音声データ領域に記録されたデータが複数の音声データ領域のデータを不連続に繋ぎ合わせて１曲等の所定単位が形成されている不連続記録済データであった場合に、前記音声データ領域と前記制御データ領域における各データを連続化記録済データに書き替える不連続記録済データの連続化機能付き情報記録装置であって、
前記不連続記録済データを再生し、当該再生データをメモリに格納し、記録済の前記音声データ領域と記録済の前記制御データ領域のそれぞれのデータを書き替えるデータ連続化手段を具備することを特徴とする不連続記録済データの連続化機能付き情報記録装置。
【請求項２】
前記データ連続化手段は、前記不連続記録済データが再生されたときに当該再生データをメモリに格納し、記録済の前記音声データ領域と記録済の前記制御データ領域のそれぞれのデータを書き替えて連続化データの記録済記録媒体とするように構成することを特徴とする請求項１に記載の不連続記録済データの連続化機能付き情報記録装置。
【請求項３】
前記データ連続化手段は、新音声情報が与えられたときに、該新音声情報の記録に先立ち、前記不連続記録済データが再生されたときに当該再生データをメモリに格納し、記録済の前記音声データ領域と記録済の前記制御データ領域のそれぞれのデータを書き替えると共に、前記新音声情報に基く音声データと制御データのそれぞれを新たに記録するように構成することを特徴とする請求項１に記載の不連続記録済データの連続化機能付き情報記録装置。
【請求項４】
前記データ連続化手段は、前記不連続記録済データまたは連続記録済データにおける編集が行われるときに、再生データをメモリに格納し、記録済の前記音声データ領域と記録済の前記制御データ領域のそれぞれのデータを前記編集に基く音声データと制御データのそれぞれに書き替えて記録するように構成することを特徴とする請求項１に記載の不連続記録済データの連続化機能付き情報記録装置。
【請求項５】
前記データ連続化手段は、一連のデータブロックで形成される音声データを分割、結合、消去の内の少なくとも１種の編集を行うように構成することを特徴とする請求項４に記載の不連続記録済データの連続化機能付き情報記録装置。
【請求項６】
音声情報を記録する１つまたは複数の記録領域からなる音声データ領域と、前記音声データ領域と隣の音声データ領域との間に配置された１つまたは複数の記録領域からなる制御データ領域で構成される複数の記録単位が記録されると共に、前記複数の音声データ領域に対するリンク先データが記録済の記録済媒体を再生したときに、前記音声データ領域に記録されたデータが複数の音声データ領域のデータを不連続に繋ぎ合わせて１曲等の所定単位が形成されている不連続記録済データであった場合に、前記音声データ領域と前記制御データ領域における各データを連続化記録済データに書き替える不連続記録済データの連続化方法であって、
前記不連続記録済データを再生し、当該再生データをメモリに格納し、記録済の前記音声データ領域と記録済の前記制御データ領域のそれぞれのデータを書き替えることを特徴とする不連続記録済データの連続化方法。
【発明の詳細な説明】
【０００１】
【発明の属する技術分野】
本発明は、不連続記録済データの連続化機能付き情報記録装置および不連続記録済データの連続化方法に関する。
【０００２】
【従来の技術】
音声情報を記録する複数の音声データ領域と、その間に配置された１つまたは複数の制御データ領域に１曲等の記録単位が記録されると共に、これらの音声データ領域に対するリンク先データを記録することによって所定の記録再生を行うことができる情報記録再生装置が存在する。
【０００３】
この一例をＭＤ（ミニ・ディスク）を用いて音楽等の音声データを記録し、記録済ＭＤを再生する場合を例にして説明する。音楽等の音声データをＭＤに光磁界変調方式で記録する場合、ブランクディスクからの記録ならば信号トラックの最内周側から連続的に最外周側に向かって記録され、その記録に伴うチェーンデータは連続的なものとなり、このように記録されたＭＤを再生したときには、光信号読取用の光ピックアップが信号トラックの内周側から外周側にトラックジャンプもしくは外周側から内周側にトラックジャンプされることなく連続して読取りが行われる。
【０００４】
しかし、一旦記録されたＭＤの記録トラックの一部分を分割、消去、結合等の編集を行った場合には内周から外周に向かう連続記録状態が寸断され、途中にブランク部分が生じたり、飛び飛びに記録されたトラックを繋ぎ合わせることによって所定の単位、例えば１曲の音声データが再現されることになる。
【０００５】
このように飛び飛びのデータが繋ぎ合わされて形成される音声データの具体例は、ＭＤの内周側に位置するＵＴＯＣ情報格納領域に記録される制御データのフォーマットが、図７に符号ａで示すようにアドレス番号０からアドレス番号５７３までの計５７４個の格納領域に区分けされ、アドレス番号０から６３までにトラック番号の２５５までが記録され、アドレス番号６４からアドレス番号５７３までに２つのアドレス番号で１組のデータの複数組が記録され、例えばアドレス番号６４とアドレス番号６５でなる１組のデータは、アドレス番号６４領域にスタートアドレスとトラックモードが記録され、アドレス番号６５領域にエンドアドレスとそのリンク先が記録され、以下同様にアドレス番号５７３までに複数組の制御データが記録される。
【０００６】
この詳細例は、図８に符号ｂで示すようにアドレスの０〜５７３における総データの内のアドレス０〜６３までが制御データ記録領域となっていて、アドレス６３〜５７３までが音声データ記録領域となっている。
【０００７】
そして、複数曲に対して編集を行った場合、例えば１番目ないし３番目の曲を１つの曲に結合して第１曲とし、４番目の曲を第２曲とする編集を行った場合には、第１曲のデータが、スタートアドレス0000からエンドアドレス0015までで構成される１番目の音声データと、これに対応するアドレス0016からアドレス0028までで構成されるフレームデータと、スタートアドレス0029からエンドアドレス0057までで構成される２番目の音声データと、これに対応するアドレス0058からアドレス0064までで構成されフレームデータと、スタートアドレス0065からエンドアドレス0086までで構成される３番目の音声データとの３つで形成される。
【０００８】
このように形成される第１曲に続く第２曲は、アドレス0087〜0107のブランクデータを介してアドレス0108からアドレス0206までで構成される４番目の音声データとして形成され、以下同様にして複数曲のデータが形成される。このようなデータは連続化されていないためにＭＤの信号トラックの内周側から外周側に向かって、または外周側から内周側に向かうトラックジャンプを行うことによって不連続な読取りを行うことによって所定曲の再生を行うことができる。
【０００９】
即ち、図９に符号ｃで示すように、第１曲の再生が、スタートアドレス0000からエンドアドレス0015までで構成される１番目の音声データを再生した後に、２番目の音声データのスタートアドレス0029までトラックジャンプ（符号１参照）してエンドアドレス0057までの音声データを再生した後に、３番目の音声データのスタートアドレス0065までトラックジャンプ（符号２参照）してエンドアドレス0086までの音声データを再生することによって第１曲の再生が行われる。
【００１０】
従って、アドレス0016からアドレス0028までで構成されるフレームデータと、アドレス0058からアドレス0064までで構成されフレームデータがジャンプされることになり、このような第１曲の再生が完了した後に、アドレス0087〜0107のブランク部分をトラックジャンプ（符号３参照）した後に、第２曲を形成するスタートアドレス0108からエンドアドレス0206までの音声データを再生することによって第１曲と第２曲の再生が完了する。
【００１１】
しかる後、先程のようにジャンプされたアドレス0016からアドレス0028までで構成されるフレームデータにトラックジャンプ（符号４参照）して信号読み取りがなされた後に、アドレス0058からアドレス0064までで構成されフレームデータがトラックジャンプ（符号５参照）して信号読み取りがなされ、以下同様にして複数曲のデータが再生される。
【００１２】
なお、一旦記録されたＭＤに新たな音声信号を記録する場合には、記録済信号の内周寄りに近いブランク部分に信号が上書き記録され、当該ブランク部分が無くなると未記録部分に記録されるようにチェーン情報が書き込まれるものである。
【００１３】
【発明が解決しようとする課題】
情報記録装置において記録される音声データは、ブランクディスクからの記録ならば信号トラックの最内周側から連続的に最外周側に向かって記録され、その記録に伴うチェーンデータは連続的なものとなり、このように記録されたＭＤを再生したときには、トラックジャンプされることなく連続して効率的に読取りが行われるものの、一旦記録された記録トラックの一部分を分割、消去、結合等の編集を行った場合には内周から外周に向かう連続記録状態が寸断され、途中にブランク部分が生じたり、飛び飛びに記録されたトラックを繋ぎ合わせることによって所定の単位、例えば１曲の音声データが再現されることになる。
【００１４】
従って、再生する際には、飛び飛びの信号をピックアップするために読み出し時（再生時）の光ピックアップの動作は、ディスクの内周から外周へ、または外周から内周へのチェーン情報を基にして移動されるので無駄なスレッドムーブ動作を行うことになり、また、その時のサーチ動作の時間が無駄になってしまうと共に、再生のために無駄なエネルギーを使用することになり、特に電池駆動の機器においては電池稼働時間が短縮されてしまう。
【００１５】
そこで、本発明の目的は、不連続記録された記録媒体に対して新たな信号を記録したり編集することを行っても、記録済媒体を再生するときに無駄な動作を行ったり無駄なエネルギーを使用することの無い不連続記録済データの連続化機能付き情報記録装置および不連続記録済データの連続化方法を提供することにある。
【００１６】
【課題を解決するための手段】
上記課題を解決するために、本発明による不連続記録済データの連続化機能付き情報記録装置は、次に記載するような特徴的な構成を採用している。
【００１７】
（１）音声情報を記録する１つまたは複数の記録領域からなる音声データ領域と、前記音声データ領域と隣の音声データ領域との間に配置された１つまたは複数の記録領域からなる制御データ領域で構成される複数の記録単位が記録されると共に、前記複数の音声データ領域に対するリンク先データが記録済の記録済媒体を再生したときに、前記音声データ領域に記録されたデータが複数の音声データ領域のデータを不連続に繋ぎ合わせて１曲等の所定単位が形成されている不連続記録済データであった場合に、前記音声データ領域と前記制御データ領域における各データを連続化記録済データに書き替える不連続記録済データの連続化機能付き情報記録装置であって、
前記不連続記録済データを再生し、当該再生データをメモリに格納し、記録済の前記音声データ領域と記録済の前記制御データ領域のそれぞれのデータを書き替えるデータ連続化手段を具備する不連続記録済データの連続化機能付き情報記録装置。
【００１８】
（２）前記（１）のデータ連続化手段は、前記不連続記録済データが再生されたときに当該再生データをメモリに格納し、記録済の前記音声データ領域と記録済の前記制御データ領域のそれぞれのデータを書き替えて連続化データの記録済記録媒体とするように構成する不連続記録済データの連続化機能付き情報記録装置。
【００１９】
（３）前記（１）のデータ連続化手段は、新音声情報が与えられたときに、該新音声情報の記録に先立ち、前記不連続記録済データが再生されたときに当該再生データをメモリに格納し、記録済の前記音声データ領域と記録済の前記制御データ領域のそれぞれのデータを書き替えると共に、前記新音声情報に基く音声データと制御データのそれぞれを新たに記録するように構成する不連続記録済データの連続化機能付き情報記録装置。
【００２０】
（４）前記（１）のデータ連続化手段は、前記不連続記録済データまたは連続記録済データにおける編集が行われるときに、再生データをメモリに格納し、記録済の前記音声データ領域と記録済の前記制御データ領域のそれぞれのデータを前記編集に基く音声データと制御データのそれぞれに書き替えて記録するように構成する不連続記録済データの連続化機能付き情報記録装置。
【００２１】
（５）前記（４）のデータ連続化手段は、一連のデータブロックで形成される音声データを分割、結合、消去の内の少なくとも１種の編集を行うように構成する不連続記録済データの連続化機能付き情報記録装置。
【００２２】
また、前記課題を解決するために、本発明による不連続記録済データの連続化方法は、次に記載するような特徴的なステップを採用している。
（６）音声情報を記録する１つまたは複数の記録領域からなる音声データ領域と、前記音声データ領域と隣の音声データ領域との間に配置された１つまたは複数の記録領域からなる制御データ領域で構成される複数の記録単位が記録されると共に、前記複数の音声データ領域に対するリンク先データが記録済の記録済媒体を再生したときに、前記音声データ領域に記録されたデータが複数の音声データ領域のデータを不連続に繋ぎ合わせて１曲等の所定単位が形成されている不連続記録済データであった場合に、前記音声データ領域と前記制御データ領域における各データを連続化記録済データに書き替える不連続記録済データの連続化方法であって、
前記不連続記録済データを再生し、当該再生データをメモリに格納し、記録済の前記音声データ領域と記録済の前記制御データ領域のそれぞれのデータを書き替える。
【００２３】
【発明の実施の形態】
以下、本発明の実施の形態について図面を用いて詳細に説明する。先ず第１の実施の形態を図１ないし図４を用いて説明する。
【００２４】
本実施形態は、新音声情報が与えられたときに、該新音声情報の記録に先立ち、不連続記録済データが再生されたときに当該再生データをメモリに格納し、記録済の音声データ領域と記録済の制御データ領域のそれぞれのデータを書き替えると共に、新音声情報に基く音声データと制御データのそれぞれを新たに記録するように構成するデータ連続化手段を有している。また、ＭＤの内周側に位置するＵＴＯＣ情報格納領域に記録される制御データのフォーマットが、従来の技術の項で説明した図７と図８に示すと同様の不連続記録済データである場合に本発明を適用したものである。
【００２５】
また、１番目ないし３番目の曲を１つの曲に結合して第１曲とし、４番目の曲を第２曲とする編集を行うと共に、新音声情報を第３曲として記録する例である。記録前のデータは図１に示す符号ｄのように不連続記録済データとなっていて、第１曲のデータが、スタートアドレス0000からエンドアドレス0015までで構成される１番目の音声データと、これに対応するアドレス0016からアドレス0028までで構成されるフレームデータと、スタートアドレス0029からエンドアドレス0057までで構成される２番目の音声データと、これに対応するアドレス0058からアドレス0064までで構成されフレームデータと、スタートアドレス0065からエンドアドレス0086までで構成される３番目の音声データとの３つで形成される。
【００２６】
このように形成される第１曲に続く第２曲は、アドレス0087〜0107のブランクデータを介してアドレス0108からアドレス0206までで構成される４番目の音声データとして形成されている。このようなデータは連続化されていないためにＭＤの信号トラックの内周側から外周側に向かって、または外周側から内周側に向かうトラックジャンプを行うことによって不連続な読取りを行うことによって所定曲の再生を行うことができる。
【００２７】
かかる不連続記録済データの連続化を新たな音声データを記録するときに行う場合の動作を、図２と図３に示すフローチャートを用いて説明する。なお、このフローチャートは、図２に前半部分が示され、中継点（Ａ）ないし（Ｄ）を介して図３に示される後半部分に連結されてその全体が構成されている。
【００２８】
先ずステップＳ１において、記録すべきＭＤが所定の位置に装着されたか否かが判定され、Ｎｏの場合にはＹｅｓになるまで待機したり図２中に破線で示すように中継点（Ｄ）を介して図３に進んで終了とされ、ＹｅｓになったときにステップＳ２に進んで、ディスク情報のリーディングが開始され、ディスクのＵＴＯＣ情報の読取りが開始される。
【００２９】
しかる後、ステップＳ３に進んで機器に装着されているＭＤがブランクディスクであるか否かが判定され、Ｎｏの場合には次のステップＳ４に進み、録音指示有りか？の判定がなされ、録音指示されていない場合（Ｎｏの場合）には終了とされ、録音指示があった場合（Ｙｅｓの場合）にはステップＳ５に進んで新規記録信号を新規記録用一時メモリに格納し、次のステップＳ６でリンク先情報が全て００か？の判定がなされ、リンク先情報が全て００の場合（Ｙｅｓの場合）には００でないＵＴＯＣアドレス記憶エリアＡに、その時点での最終アドレスを記憶してステップＳ９に進み、リンク先情報が全て００でないことがステップＳ６で判定された場合（Ｎｏの場合）にはステップＳ８に進んで００でないＵＴＯＣアドレス記憶エリアＡに、その現在時点でのアドレスを記憶した後にステップＳ９に進む。
【００３０】
ステップＳ９は、アドレス記憶エリアＡに既に格納されているエンドアドレスと次のスタートアドレスが連続しているか否かを判定するもので、連続している場合（Ｙｅｓの場合）には、連続していないＵＴＯＣアドレス記憶エリアＢに、その時点での最終アドレスを記憶してステップＳ１１に進む。
【００３１】
ステップＳ１１は、ＵＴＯＣアドレス記憶エリアＡにステップＳ７またはステップＳ８で記憶されたアドレスと、ＵＴＯＣアドレス記憶エリアＢにステップＳ１０で記憶されたアドレスとを比較し、小さい方のアドレスをメモリＣに格納するもので、このステップＳ１１で格納されたアドレスが最終アドレスであるか否かが次のステップＳ１２で判定される。
【００３２】
ステップＳ１２でＮｏの場合には、ステップＳ１３に進んで、メモリＣのアドレスに該当するトラック番号をメモリＤに格納し、次のステップＳ１４で当該メモリＤのアドレスに該当するトラック番号の以降のトラック番号を再生して一時記憶メモリに格納する。
【００３３】
そして、次のステップＳ１５に進んでメモリＤに前ステップで格納されたデータに該当するトラック番号以降のものを削除し、ステップＳ１６に進んで当該一時記憶メモリ内の情報をＭＤに記録、即ち、データの書き換えを行い、ステップＳ１７に進む。なお、ステップＳ１３からステップＳ１６までの一連のデータ書き換え実行は、ステップＳ１２がＹｅｓ、即ち最終アドレスまで書き換えが行われたときに完了し、ステップＳ１７に進む。
【００３４】
ステップＳ１７は、直前のステップＳ１６で既に書き替えられている信号記録用一時メモリ内の新規記録用信号をＭＤに記録することによってデータ書き換えと新規書き込みを行うものである。
【００３５】
これは、図１に符号ｄで示すような不連続記録済データの中から、スタートアドレス0000からエンドアドレス0015までで構成される１番目の音声データと、スタートアドレス0029からエンドアドレス0057までで構成される２番目の音声データと、スタートアドレス0065からエンドアドレス0086までで構成される３番目の音声データが一時的にメモリに格納され、このデータが符号ｅに示すように１ないし３番目として連続するように書き替えられ、この３種のデータでもって第１曲が連続した状態で記録される。
【００３６】
このような第１曲の次には、スタートアドレス0108からエンドアドレス0206までで構成される４番目の音声データが一時的にメモリに格納され、このデータが第１曲のデータに連続する第２曲データとして記録される。この次には符号ｆで示すように新たな音声データが第３曲として記録される。
【００３７】
従って、最終的な信号記録形態は符号ｇに示すと共に、図４にも符号ｈで示すように、第１曲データがスタートアドレス0000〜エンドアドレス0066で形成され、第２曲データがスタートアドレス0067〜エンドアドレス0166で形成され、第３曲データがスタートアドレス0167〜エンドアドレス0235で形成され、フレームデータがスタートアドレス0236〜エンドアドレス0255で形成されることによってデータの連続化が行われる。
【００３８】
さて、前述のＵＴＯＣアドレスの記憶エリアＢのエンドアドレスと次のスタートアドレスが連続していないことがステップＳ９で判定された場合（Ｎｏの場合）にはステップＳ１８に進み、連続していないＵＴＯＣアドレス記憶エリアＢに、その時点での最終アドレスを記憶してステップＳ１１に進み、前述同様にステップ実行がなされる。
【００３９】
一方、ステップＳ３でＹｅｓの場合、即ち装着されたＭＤがブランクディスクである場合には、ステップＳ１９に進んで録音指示有りか？の判定がなされ、録音指示されていない場合（Ｎｏの場合）には終了とされ、録音指示があった場合（Ｙｅｓの場合）にはステップＳ２０に進んで新規記録信号を新規記録用一時メモリに格納した後にステップＳ１７までジャンプし、信号記録用一時メモリ内の新規記録用信号をＭＤに記録することによって新規書き込みが行われる。
【００４０】
今まで説明した例は、音声記録済みのＭＤにおける不連続記録済データの連続化を新たな音声データを追記録するときに行う情報記録装置であるが、音声記録済みのＭＤに対して編集を行うときに、不連続記録が生じないようにする場合にも本発明を適用できる。この例を図５と図６に示すフローチャートを用いて第２の実施の形態として説明する。
【００４１】
この実施形態は、不連続記録済データまたは連続記録済データにおける編集が行われるときに、再生データをメモリに格納し、記録済の音声データ領域と記録済の制御データ領域のそれぞれのデータを編集に基く音声データと制御データのそれぞれに書き替えて記録するように構成されるデータ連続化手段を有していて、その動作は、図５と図６に示すフローチャートを用いて説明する。このフローチャートは、図５に前半部分が示され、中継点（Ｅ）ないし（Ｇ）を介して図６に示される後半部分に連結されてその全体が構成されている。
【００４２】
先ずステップＳ１において、記録すべきＭＤが所定の位置に装着されたか否かが判定され、Ｎｏの場合にはＹｅｓになるまで待機したり図５中に破線で示すように中継点（Ｇ）を介して図６に進んで終了とされ、ＹｅｓになったときにステップＳ２に進んで、ディスク情報のリーディングが開始され、ディスクのＵＴＯＣ情報の読取りが開始される。
【００４３】
しかる後、ステップＳ３に進んで機器に装着されているＭＤがブランクディスクであるか否かが判定され、ブランクディスクである場合には終了とされ、ブランクディスクでない場合には次のステップＳ２１に進み、編集（ＥＤＩＴ）指示有りか？の判定がなされ、編集指示されていない場合（Ｎｏの場合）には終了とされ、編集指示があった場合（Ｙｅｓの場合）にはステップＳ２２に進み、既に記録済のデータに対する一部分割、一部結合、一部消去等の編集指示を与え、次のステップＳ２３に進む。
【００４４】
ステップＳ２３は、リンク先情報が全て００か？の判定をするもので、リンク先情報が全て００の場合（Ｙｅｓの場合）にはステップＳ２４に進んで００でないＵＴＯＣアドレス記憶エリアＡに、その時点での最終アドレスを記憶してステップＳ２６に進み、リンク先情報が全て００でないことがステップＳ２３で判定された場合（Ｎｏの場合）にはステップＳ２５に進んで００でないＵＴＯＣアドレス記憶エリアＡに、その現在時点でのアドレスを記憶した後にステップＳ２６に進む。
【００４５】
ステップＳ２６は、アドレス記憶エリアＡに既に格納されているエンドアドレスと次のスタートアドレスが連続しているか否かを判定するもので、連続している場合（Ｙｅｓの場合）には、ステップＳ２７に進み、連続していないＵＴＯＣアドレス記憶エリアＢに、その時点での最終アドレスを記憶してステップＳ２８に進む。
【００４６】
ステップＳ２８は、ＵＴＯＣアドレス記憶エリアＡにステップＳ２４またはステップＳ２５で記憶されたアドレスと、ＵＴＯＣアドレス記憶エリアＢにステップＳ２７で記憶されたアドレスとを比較し、小さい方のアドレスをメモリＣに格納するもので、このステップＳ２８で格納されたアドレスが最終アドレスであるか否かが次のステップＳ２９で判定される。
【００４７】
ステップＳ２９でＮｏの場合には、ステップＳ３０に進んで、メモリＣのアドレスに該当するトラック番号をメモリＤに格納し、次のステップＳ３１で当該メモリＤのアドレスに該当するトラック番号の以降のトラック番号を再生して一時記憶メモリに格納する。
【００４８】
そして、次のステップＳ３２に進んでメモリＤに前ステップで格納されたデータに該当するトラック番号以降のものを削除し、ステップＳ３３に進んで当該一時記憶メモリ内の情報をＭＤに記録、即ち、データの書き換えを行う。なお、ステップＳ３０からステップＳ３３までの一連のデータ書き換え実行は、ステップＳ２９がＹｅｓ、即ち最終アドレスまで書き換えが行われたときに完了し、その一連の動作が終了とされる。
【００４９】
さて、前述のＵＴＯＣアドレスの記憶エリアＢのエンドアドレスと次のスタートアドレスが連続していないことがステップＳ２６で判定された場合（Ｎｏの場合）にはステップＳ３４に進み、連続していないＵＴＯＣアドレス記憶エリアＢに、その時点での最終アドレスを記憶してステップＳ２８に進み、前述同様にステップ実行がなされる。
【００５０】
一方、ステップＳ３でＹｅｓの場合、即ち装着されたＭＤがブランクディスクである場合には、当然のことながら編集を行うことができないために終了とされる。
【００５１】
今まで説明した２つの形態は、音声記録時に不連続記録済データの連続化を行ったり、編集時に不連続記録済データの連続化を行う例であるが、不連続記録済データが再生されたときに当該再生データをメモリに格納し、記録済の前記音声データ領域と記録済の前記制御データ領域のそれぞれのデータを書き替えて連続化データの記録済記録媒体とするようにデータ連続化手段を構成してもよいことは勿論である。
【００５２】
また、前述の形態は、データが不連続に記録済の記録済媒体がＭＤの場合に本発明を適用したものであるが、ＭＤ以外の媒体に対しても本発明を適用できることは勿論である。
【００５３】
【発明の効果】
以上の説明で明らかなように、本発明による不連続記録済データの連続化機能付き情報記録装置および不連続記録済データの連続化方法は、特徴的な構成または方法を採用したデータ連続化手段またはステップを用いているので、情報記録装置において記録される音声データが、記録媒体の信号トラックの最内周側から連続的に最外周側に向かって記録され、その記録に伴うチェーンデータは連続的なものとなるので、再生時にはトラックジャンプされることなく連続して効率的に読取りを行なうことができる。
【００５４】
しかも、分割、消去、結合等の編集を行った場合に内周から外周に向かう連続記録状態が寸断され、途中にブランク部分が生じたり、飛び飛びに記録されたトラックを繋ぎ合わせることによって所定の単位、例えば１曲の音声データが再現される場合であっても、本発明の連続化手段によって連続化されるので、当該記録媒体を再生する際には、飛び飛びの信号をピックアップしたりすること無く、内周から外周へ、または外周から内周へのトラックジャンプが生ぜず無駄なスレッドムーブ動作を行うこと無く、再生のために無駄なエネルギーを使用することなく、特に電池駆動の機器における電池稼働時間を長くすることができる。
【００５５】
従って、本発明による不連続記録済データの連続化機能付き情報記録装置および不連続記録済データの連続化方法は、不連続記録された記録媒体に対して新たな信号を記録したり編集することを行っても、記録済媒体を再生するときに無駄な動作を行ったり無駄なエネルギーを使用することの無い記録済媒体を作成することができる。
【図面の簡単な説明】
【図１】本発明の第１の実施の形態による不連続記録済データの連続化機能付き情報記録装置のデータ連続化機能を説明するためのデータフォーマットを示す図である。
【図２】図１に示されるデータフォーマットのデータ連続化動作の前半部分を示すフローチャートである。
【図３】図１に示されるデータフォーマットのデータ連続化動作の後半部分を示すフローチャートである。
【図４】図１に示されるデータフォーマットの音声データアドレスを模式的に示す図である。
【図５】本発明の第２の実施の形態による不連続記録済データの連続化機能付き情報記録装置のデータ連続化動作の前半部分を示すフローチャートである。
【図６】本発明の第２の実施の形態による不連続記録済データの連続化機能付き情報記録装置のデータ連続化動作の後半部分を示すフローチャートである。
【図７】従来の不連続記録済データの連続化機能付き情報記録装置の不連続記録済データのアドレスの配置を説明するための図である。
【図８】従来の不連続記録済データの連続化機能付き情報記録装置の不連続記録済データの音声データアドレスを模式的に示す図である。
【図９】従来の不連続記録済データの連続化機能付き情報記録装置の不連続記録済データの再生順序を模式的に示す図である。
【符号の説明】
【図１】
0003757112.tif 000002
【図２】
0003757112.tif 000003
【図３】
0003757112.tif 000004
【図４】
0003757112.tif 000005
【図５】
0003757112.tif 000006
【図６】
0003757112.tif 000007
【図７】
0003757112.tif 000008
【図８】
0003757112.tif 000009
【図９】
0003757112.tif 000010